(57)【要約】【課題】スマートフォンを簡単に装着・離脱できると共に、外周がスマートフォンとほぼ同じ大きさであるスマートフォン用バッテリを提供すること。【解決手段】スマートフォン３０の凹状充電端子と接続する凸状充電端子１５と、バッテリ２１とを有するスマートフォン用バッテリ１０において、バッテリ２１が収納されている平板状基板１８と、平板状基板１８の一辺に突出して形成され、内周面に凸状充電端子１５が設けられた充電端子壁板１４と、平板状基板１８の、他の三辺に突出して形成されたガイド板１１，１２，１３と、平板状基板１８の、充電端子壁板１４と反対の端面近くに設けられ、スマートフォンと平板状基板とを密着させるスマートフォン密着手段である吸着カップ１７と、を有する。【選択図】図１
2012129616.tif 000002
【特許請求の範囲】
【請求項１】
スマートフォンの凹状充電端子と接続する凸状充電端子と、バッテリとを有するスマートフォン用バッテリにおいて、
前記バッテリが収納されている平板状基板と、
前記平板状基板の一辺に突出して形成され、内周面に前記凸状充電端子が設けられた充電端子壁板と、
前記平板状基板の、他の三辺に突出して形成されたガイド板と、
前記平板状基板の、前記充電端子壁板と反対の端面近くに設けられ、前記スマートフォンと前記平板状基板とを密着させるスマートフォン密着手段と、
を有することを特徴とするスマートフォン用バッテリ。
【請求項２】
請求項１に記載するスマートフォン用バッテリにおいて、
前記ガイド板のうち、前記充電端子壁板と直交する一対の側面ガイド板が、前記スマートフォンの側面に密着する幅で形成されていること、
前記ガイド板のうち、前記充電端子壁板と対向する位置にある対向ガイド板の高さが、前記スマートフォンを前記対向ガイド板の上端に接触させながら滑らせたときに、前記凹状充電端子と、前記凸状充電端子とが接続できる高さに形成されていること、
を特徴とするスマートフォン用バッテリ。
【請求項３】
請求項１または請求項２に記載するスマートフォン用バッテリにおいて、
前記スマートフォン密着手段が吸着カップであって、前記吸着カップが、前記平板状基板の表面に形成された凹状部に設けられていること、
前記スマートフォンを前記吸着カップに押し付けて吸着させたときに、スマートフォンの裏面が、前記平板状基板の表面に密着するように、前記凹状部の深さが決められていること、
を特徴とするスマートフォン用バッテリ。
【請求項４】
請求項３に記載するスマートフォン用バッテリにおいて、
前記スマートフォンの側面の中心線に沿って凸状線部が形成されていること、
前記一対の側面ガイドの高さが、前記スマートフォンを前記吸着カップに吸着させたときに、前記一対の側面ガイドの上端が前記凸状線部と当接する高さに決められていること、
を特徴とするスマートフォン用バッテリ。
【請求項５】
請求項１乃至請求項４に記載するいずれか１つのスマートフォン用バッテリにおいて、
前記充電端子壁板の外周面に凹状充電端子、マイク用開口、及びスピーカ用開口が設けられていること、
を特徴とするスマートフォン用バッテリ。
【請求項６】
請求項１乃至請求項５に記載するいずれか１つのスマートフォン用バッテリにおいて、
前記平板状基板の、前記スマートフォンのカメラ用レンズに対向する位置に、カメラ用開口が形成されていること、
を特徴とするスマートフォン用バッテリ。
【発明の詳細な説明】
【技術分野】
【０００１】
本発明は、スマートフォンの凹状充電端子と接続する凸状充電端子と、バッテリとを有するスマートフォン用バッテリに関するものである。
【背景技術】
【０００２】
最近、携帯電話に代わってスマートフォンが多く使用されるようになっている。しかし、スマートフォンは、携帯電話と比較して使用頻度も多く、電気の消費量が多いため、頻繁に充電しなければならない煩わしさがあった。また、必要なときにバッテリ切れが発生し、困ることがあった。
携帯電話においては、例えば、特許文献１の技術では、乾電池を収納するバッテリ接続することにより、携帯電話の予備電池として使用するものが記載されている。これによれば、携帯電話の使用時間を延ばすことができる。
【先行技術文献】
【特許文献】
【０００３】
【特許文献１】特開2002-009906号公報
【発明の概要】
【発明が解決しようとする課題】
【０００４】
スマートフォンにおいても、充電の煩雑さを解消するために、バッテリを備えたスマートフォン用バッテリを接続することが考えられる。
しかし、特許文献１のようなバッテリでは、スマートフォンのコンセプトであるスマートさを減じ、使い勝手の悪い大きさとなってしまう。また、ポケットに収納する等の通常の使用法ができない問題がある。
一方、装着・離脱にネジ等を使用することは、使い勝手が悪くなり問題である。
スマートフォンの重要性は、取り扱うのに小型で使いやすい点がポイントの1つであり、使い勝手の悪い大きさのものは、市場が受け入れないと考えられる。
【０００５】
本発明は、上記問題点を解決するために、スマートフォンを簡単に装着・離脱できると共に、外周がスマートフォンとほぼ同じ大きさであるスマートフォン用バッテリを提供することを目的とする。
【課題を解決するための手段】
【０００６】
上記課題を解決するために、本発明のスマートフォン用バッテリは、次のような構成を有している。（１）スマートフォンの凹状充電端子と接続する凸状充電端子と、バッテリとを有するスマートフォン用バッテリにおいて、バッテリが収納されている平板状基板と、平板状基板の一辺に突出して形成され、内周面に凸状充電端子が設けられた充電端子壁板と、平板状基板の、他の三辺に突出して形成されたガイド板と、平板状基板の、充電端子壁板と反対の端面近くに設けられ、スマートフォンと平板状基板とを密着させるスマートフォン密着手段と、を有することを特徴とする。
【０００７】
（２）（１）に記載するスマートフォン用バッテリにおいて、前記ガイド板のうち、前記充電端子壁板と直交する一対の側面ガイド板が、前記スマートフォンの側面に密着する幅で形成されていること、前記ガイド板のうち、前記充電端子壁板と対向する位置にある対向ガイド板の高さが、前記スマートフォンを前記対向ガイド板の上端に接触させながら滑らせたときに、前記凹状充電端子と、前記凸状充電端子とが接続できる高さに形成されていること、を特徴とする。
【０００８】
（３）（１）または（２）に記載するスマートフォン用バッテリにおいて、スマートフォン密着手段が吸着カップであって、吸着カップが、前記平板状基板の表面に形成された凹状部に設けられていること、前記スマートフォンを吸着カップに押し付けて吸着させたときに、スマートフォンの裏面が、前記平板状基板の表面に密着するように、前記凹状部の深さが決められていること、を特徴とする。
（４）（３）に記載するスマートフォン用バッテリにおいて、前記スマートフォンの側面の中心線に沿って凸状線部が形成されていること、前記一対の側面ガイドの高さが、前記スマートフォンを前記吸着カップに吸着させたときに、前記一対の側面ガイドの上端が前記凸状線部と当接する高さに決められていること、を特徴とする。
【０００９】
（５）（１）乃至（４）に記載するいずれか１つのスマートフォン用バッテリにおいて、前記充電端子壁板の外周面に凹状充電端子、マイク用開口、及びスピーカ用開口が設けられていること、を特徴とする。
（６）（１）乃至（５）請求項５に記載するいずれか１つのスマートフォン用バッテリにおいて、前記平板状基板の、前記スマートフォンのカメラ用レンズに対向する位置に、カメラ用開口が形成されていること、を特徴とする。
【発明の効果】
【００１０】
本発明のスマートフォン用バッテリは、次のような作用、効果を奏する。
（１）スマートフォンの凹状充電端子と接続する凸状充電端子と、バッテリとを有するスマートフォン用バッテリにおいて、前記バッテリが収納されている平板状基板と、前記平板状基板の一辺に突出して形成され、内周面に前記凸状充電端子が設けられた充電端子壁板と、前記平板状基板の、他の三辺に突出して形成されたガイド板と、前記平板状基板の、前記充電端子壁板と反対の端面近くに設けられ、スマートフォンと平板状基板とを密着させるスマートフォン密着手段と、を有することを特徴とするので、スマートフォンの外周が充電端子壁板と三辺のガイド板により四方が囲まれ、平板状基板に密着手段で密着されるため、スマートフォンを簡単に装着・離脱できると共に、厚みは厚くなるが、外周がスマートフォンとほぼ同じ大きさであるので使い勝手が良い。
【００１１】
（２）また、（１）に記載するスマートフォン用バッテリにおいて、前記ガイド板のうち、前記充電端子壁板と直交する一対の側面ガイド板が、前記スマートフォンの側面に密着する幅で形成されていること、前記ガイド板のうち、前記充電端子壁板と対向する位置にある対向ガイド板の高さが、前記スマートフォンを前記対向ガイド板の上端に接触させながら滑らせたときに、前記凹状充電端子と、前記凸状充電端子とが接続できる高さに形成されていること、を特徴とするので、スマートフォンを装着するときに、一対の側面ガイド板の間にスマートフォンは挟ませて、対向ガイド板の上端にスマートフォンの裏面を接触させながら滑らせることにより、スマートフォンの凹状充電端子を、凸状充電端子にスムーズに接続させることができる。
【００１２】
（３）（１）または（２）に記載するスマートフォン用バッテリにおいて、前記スマートフォン密着手段が吸着カップであって、前記吸着カップが、前記平板状基板の表面に形成された凹状部に設けられていること、前記スマートフォンを吸着カップに押し付けて吸着させたときに、スマートフォンの裏面が、前記平板状基板の表面に密着するように、前記凹状部の深さが決められていること、を特徴とするので、スマートフォンの凹状充電端子と、スマートフォン用バッテリの凸状充電端子とを接続した後、スマートフォンを吸着カップ側に押圧することにより、スマートフォンを平板状基板の表面に密着させることができ、スマートフォンとスマートフォン用バッテリを一体化することができるため、使い勝手の良いものとできる。
【００１３】
（４）（３）に記載するスマートフォン用バッテリにおいて、前記スマートフォンの側面の中心線に沿って凸状線部が形成されていること、前記一対の側面ガイドの高さが、前記スマートフォンを前記吸着カップに吸着させたときに、前記一対の側面ガイドの上端が前記凸状線部と当接する高さに決められていること、を特徴とするので、スマートフォンをスマートフォン用バッテリに装着したときに、外観上も、スマートフォンとスマートフォン用バッテリとの一体感が強くすることができる。
【００１４】
（５）（１）乃至（４）に記載するいずれか１つのスマートフォン用バッテリにおいて、前記充電端子壁板の外周面に凹状充電端子、マイク用開口、及びスピーカ用開口が設けられていること、を特徴とするので、スマートフォン用の充電装置を用いて、スマートフォン用バッテリのバッテリを充電できるため、使い勝手の良いスマートフォン用バッテリを提供することができる。
（６）（１）乃至（５）に記載するいずれか１つのスマートフォン用バッテリにおいて、前記平板状基板の、前記スマートフォンのカメラ用レンズに対向する位置に、カメラ用開口が形成されていること、を特徴とするので、スマートフォンをスマートフォン用バッテリに装着したままで、カメラとして使用することができる。
【図面の簡単な説明】
【００１５】
【図１】スマートフォン用バッテリ１０の正面図である。
【図２】図１の右側面図である。
【図３】図１の底面図である。
【図４】図１のＡＡ断面図である。
【図５】スマートフォン３０をスマートフォン用バッテリ１０に装着する第１手順を示す図である。
【図６】スマートフォン３０をスマートフォン用バッテリ１０に装着する第２手順を示す図である。
【図７】スマートフォン３０をスマートフォン用バッテリ１０に装着する第３手順を示す図である。
【図８】図７の正面図である。
【図９】スマートフォン用バッテリ１０の斜視図である。
【図１０】スマートフォン３０をスマートフォン用バッテリ１０に装着した状態を示す斜視図である。
【発明を実施するための形態】
【００１６】
本発明の1実施例であるスマートフォン用バッテリについて、図面を参照しながら詳細に説明する。なお、本実施例では、スマートフォンとして、アップル社製のｉ−ｐｈｏｎｅを使用する場合について説明する。
図1に、スマートフォン３０のためのスマートフォン用バッテリ１０の正面図を示す。図２に、図1の右側面図を示し、図３に、図1の底面図を示す。図９に、スマートフォン用バッテリ１０の斜視図を示す。
図１及び図２に示すように、長方形状の平板状基板１８の下辺には、充電端子壁板１４が形成されている。充電端子壁板１４の両端には、平板状基板１８の方向に突き出ている隅部１４ａ，１４ｂが形成されている。隅部１４ａ，１４ｂの内面形状は、スマートフォン３０の下面の両隅の形状に対応しており、スマートフォン３０が収納されると、ぴったりと密着して当接するように作られている。
また、平板状基板１８の上辺には、対向ガイド板１３が上向きに突出して形成され、右側辺には、右側ガイド板１１が上向きに突出して形成され、左側辺には、左側ガイド板１２が上向きに突出して形成されている。右側ガイド板１１、対向ガイド板１３、及び左側ガイド板１２は、連続して形成されており、上端面の高さも同じである。
【００１７】
右側ガイド板１１と左側ガイド板１２の内側寸法は、スマートフォン３０の幅より少し大きいだけで、スマートフォン３０が挿入されると、わずかの隙間しか存在しない。
充電端子壁板１４の内側には、凸状充電端子１５が内向きに突出して付設されている。凸状充電端子１５は、スマートフォン３０であるｉ−ｐｈｏｎｅ用の充電器と同じ形状、同じ端子構造を有するものである。ここで、凸状充電端子１５は、充電端子壁板１４に対して上下方向に少し揺動可能に取り付けられている。
充電端子壁板１４の外周面には、中央の凸状充電端子１５に対向する位置に、凹状充電端子２３が付設されている。凹状充電端子２３の形状・構造は、スマートフォン３０の凹状充電端子の形状・構造と同じであり、スマートフォン３０用の充電装置をそのまま接続することができる。凹状充電端子の右側にマイク用開口１９が形成され、左側にスピーカ用開口２０が形成されている。
平板状基板１８の内部には、板状のバッテリ２１と制御基板２２が内蔵されており、バッテリ２１と制御基板２２は、配線により接続されている。また、制御基板２２と凸状充電端子１５は、配線により接続されている。バッテリ２１の容量は、スマートフォン３０に内蔵されたバッテリの容量とほぼ同じである。
【００１８】
平板状基板１８の充電端子壁板１４と反対の端面近くには、平板状基板１８の表面より低くなった略長方形状の凹状部１６が形成されている。凹状部１６には、スマートフォン３０と平板状基板１８とを密着させるスマートフォン密着手段である４個の吸着カップ１７が横一列に付設されている。図１のＡＡ断面図を図４に示す。
図４に示すように、吸着カップ１７は、お椀形状のカップ部１７ｂと、カップ部１７ｂの下部の台部１７ａより構成されている。凹状部１６の中心線付近には、凹状部１６よりさらに深い凹深部１６ａが形成されている。
台部１７ａの下面が、凹深部１６ａの表面に接着されている。カップ部１７ｂの上端面は、平板状基板１８の表面より１ｍｍ程度上に位置している。
凹状部１６の右側には、スマートフォン３０のカメラ用レンズに対応する透明部２５が形成されている。透明部２５は、丸い開口孔に透明な樹脂がはめ込まれている。
【００１９】
次に、上記構成を有するスマートフォン用バッテリの使用方法を説明する。スマートフォン３０は、本実施例では、アップル社のｉ−ｐｈｏｎｅを使用している。スマートフォン３０は、下端面に凹状充電端子を有している。また、片面に表示・操作画面を備え、裏面にカメラ用レンズを備えている。
始めに、図５に示すように、凹部充電端子を備える下端面を先にして、スマートフォン３０の両側面を右側ガイド板１１と左側ガイド板１２の内側に挿入し、裏面の下端部を平板状基板１８に接触させ、裏面を対向ガイド板１３の上端に接触させた状態とする。
次に、スマートフォン３０の両側面を右側ガイド板１１と左側ガイド板１２の内側に沿って、裏面の下端部を平板状基板１８に接触させ、裏面を対向ガイド板１３の上端に接触させた状態で図５中、左方向に滑らせる。
【００２０】
図６は、スマートフォン３０の下端面が凸状充電端子１５の先端に位置する状態を示している。この状態で、図６に示すように、スマートフォン３０は、右端部が対向ガイド板１３の上端面に載っているため、スマートフォン３０は、平板状基板１８に対して、角度θだけ傾斜した状態にある。
この状態で、凸状充電端子１５がスマートフォン３０の凹状充電端子に挿入される。スマートフォン３０は、平板状基板に対して角度θだけ傾斜しているが、スマートフォン３０は、一対の右側ガイド板１１と左側ガイド板１２により、左右方向は高い精度で位置決めされており、かつ凸状充電端子１５は、上下方向にわずかに揺動可能に充電端子壁板１４に保持されているため、凸状充電端子１５は、スマートフォン３０の凹状充電端子にスムーズに係合される。
【００２１】
次に、スマートフォン３０が、充電端子壁板１４に当接した状態、すなわち、スマートフォン３０の凹状充電端子と凸状充電端子１５とが、きっちりと係合した状態を示す。この状態では、スマートフォン３０の右端面は、対向ガイド板１３の上端面から外れている。図６で、スマートフォン３０の右端部が少し浮き気味であるのは、スマートフォン３０が、４個の吸着カップ１７の上面に乗った状態にあるからである。
次に、指でスマートフォン３０の右端部を、平板状基板１８の方向に押圧する。これにより、吸着カップ１７内の空気が外に排出され、４個の吸着カップ１７がスマートフォン３０の裏面を吸着する。その状態を図７に示す。また、図７の平面図を図８に示す。
【００２２】
図７に示すように、スマートフォン３０が４個の吸着カップ１７に吸着されている状態では、スマートフォン３０の裏面は、平板状基板１８にほぼ全面で密着している。また、スマートフォン３０の両側面に形成された凸状線部３１が、右側ガイド板１１と左側ガイド板１２の上面にほぼ密着している。
右側ガイド板１１と左側ガイド板１２の厚みと、凸状線部３１の高さは同じなので、右側ガイド板１１と左側ガイド板１２の外周面と、凸状線部３１の外周面とは、連続的に同じ高さの平面を形成する。
また、図８に示すように、充電端子壁板１４の内周面の形状は、スマートフォン３０の下端部の形状に対応する形状に形成されているので、充電端子壁板１４に対して、スマートフォン３０がぴったりと収納された状態となる。
図１０に示すように、スマートフォン３０は、左側面の凸状線部３１の表面にスイッチボタンが配置されているが、凸状線部３１は、外に出ているので、スマートフォン３０をスマートフォン用バッテリ１０に装着した状態で、スマートフォン３０のスイッチボタンを操作することができる。
【００２３】
スマートフォン用バッテリ１０の使用方法としては、スマートフォン３０のバッテリがなくなったとき、または少なくなったときに、スマートフォン３０にスマートフォン用バッテリ１０を装着してもよい。それにより、スマートフォン３０を充電しなくても、スマートフォン３０の通常の使用時間と同じ程度の時間、継続して使用し続けることができる。
また、はじめから、スマートフォン用バッテリ１０をスマートフォン３０に装着して使用しても良い。長時間外出するときに、便利な使い方である。
スマートフォン用バッテリ１０のバッテリ２１への充電は、凹状充電端子２３の形状・構造が、スマートフォン３０の凹状充電端子の形状・構造と同じであるので、スマートフォン３０用の充電装置をそのまま使用することができる。
また、スマートフォン用バッテリ１０にスマートフォン３０を装着した状態でも、凹状充電端子２３を介して、スマートフォン用バッテリ１０のバッテリ２１への充電と、スマートフォン３０の内蔵バッテリへの充電とを同時に行うことができるように、制御基板２２に制御装置が組み込まれている。
【００２４】
以上詳細に説明したように、本実施例のスマートフォン用バッテリ１０によれば、（１）スマートフォン３０の凹状充電端子と接続する凸状充電端子１５と、バッテリ２１とを有するスマートフォン用バッテリ１０において、バッテリ２１が収納されている平板状基板１８と、平板状基板１８の一辺に突出して形成され、内周面に凸状充電端子１５が設けられた充電端子壁板１４と、平板状基板１８の、他の三辺に突出して形成されたガイド板１１，１２，１３と、平板状基板１８の、充電端子壁板１４と反対の端面近くに設けられ、スマートフォンと平板状基板とを密着させるスマートフォン密着手段である吸着カップ１７と、を有することを特徴とするので、スマートフォン３０の外周が充電端子壁板１４と三辺のガイド板１１，１２，１３により四方が囲まれ、平板状基板１８に吸着カップ１７で吸着されるため、スマートフォン３０を簡単に装着・離脱できると共に、厚みは厚くなるが、外周がスマートフォン３０とほぼ同じ大きさであるので使い勝手が良い。
【００２５】
（２）また、ガイド板１１，１２，１３のうち、充電端子壁板と直交する一対の側面ガイド板１１，１２が、スマートフォン３０の側面に密着する幅で形成されていること、ガイド板１１，１２，１３のうち、充電端子壁板１４と対向する位置にある対向ガイド板１３の高さが、スマートフォン３０を対向ガイド板１３の上端に接触させながら滑らせたときに、スマートフォン３０の凹状充電端子と、凸状充電端子１５とが接続できる高さに形成されていること、を特徴とするので、スマートフォン３０を装着するときに、一対の側面ガイド板１１，１２の間にスマートフォン３０は挟ませて、対向ガイド板１３の上端にスマートフォン３０の裏面を接触させながら滑らせることにより、スマートフォン３０の凹状充電端子を、凸状充電端子１５にスムーズに接続させることができる。
【００２６】
（３）また、密着手段が４個の吸着カップ１７であって、吸着カップ１７が、平板状基板の表面に形成された凹状部１６に設けられていること、スマートフォン３０を吸着カップ１７に押し付けて吸着させたときに、スマートフォン３０の裏面が、平板状基板１８の表面に密着するように、凹状部１６の深さが決められていること、を特徴とするので、スマートフォン３０の凹状充電端子と、スマートフォン用バッテリ１０の凸状充電端子１５とを接続した後、スマートフォン３０を吸着カップ１７側に押圧することにより、スマートフォン３０を平板状基板１８の表面に密着させることができ、スマートフォン３０とスマートフォン用バッテリ１０を一体化することができるため、使い勝手の良いものとできる。
【００２７】
（４）また、スマートフォン３０の側面の中心線に沿って凸状線部３１が形成されていること、一対の側面ガイドの高さが、スマートフォン３０を吸着カップ１７に吸着させたときに、一対の側面ガイド１１，１２の上端が凸状線部３１と当接する高さに決められていること、を特徴とするので、スマートフォン３０をスマートフォン用バッテリ１０に装着したときに、外観上も、スマートフォン３０とスマートフォン用バッテリ１０との一体感が強くすることができる。
【００２８】
（５）また、充電端子壁板１４の外周面に凹状充電端子２３、マイク用開口１９、及びスピーカ用開口２０が設けられていること、を特徴とするので、スマートフォン３０用の充電装置を用いて、スマートフォン用バッテリ１０のバッテリ２１を充電できるため、使い勝手の良いスマートフォン用バッテリ１０を提供することができる。
（６）また、平板状基板１８の、スマートフォン３０のカメラ用レンズに対向する位置に、カメラ用開口である透明部２５が形成されていること、を特徴とするので、スマートフォン３０をスマートフォン用バッテリ１０に装着したままで、カメラとして使用することができる。
【００２９】
本発明は、上記実施形態に限定されることなく、色々な応用が可能である。
例えば、本実施例では、密着手段として、吸着カップ１７について説明したが、マジックテープ（登録商標）、磁石等の密着手段を用いても良い。また、ゴムバンド等伸び縮みするバンドの一部をスマートフォン用バッテリ１０の背面に接着し、そのバンドでスマートフォン３０とスマートフォン用バッテリ１０とを一体的に包み込んでも良い。
また、本実施例では、バッテリ２１として、スマートフォン３０に内蔵されたバッテリと同じ程度の容量のバッテリを用いたが、スマートフォン用バッテリ１０の厚みを厚くすれば、より大きなバッテリを登載して、スマートフォン３０の使用時間を長くすることも可能である。
【符号の説明】
【００３０】
１０  スマートフォン用バッテリ
１１  右側ガイド板
１２  左側ガイド板
１３  対向ガイド板
１４  充電端子壁板
１５  凸状充電端子
１６  凹状部
１７  吸着カップ
１８  平板状基板
２１  バッテリ
２３  凹状充電端子
【図１】
2012129616.tif 000003
【図２】
2012129616.tif 000004
【図３】
2012129616.tif 000005
【図４】
2012129616.tif 000006
【図５】
2012129616.tif 000007
【図６】
2012129616.tif 000008
【図７】
2012129616.tif 000009
【図８】
2012129616.tif 000010
【図９】
2012129616.tif 000011
【図１０】
2012129616.tif 000012